(57)【要約】【課題】床面に設置する囲炉裏、火鉢、アウトドアテーブル、又は焚火台において、共通で使用することができ、尚且つ囲炉裏、火鉢、アウトドアテーブル、又は焚火台の炉本体で燃焼物が燃焼中であっても囲炉裏、火鉢、アウトドアテーブルのそれぞれの炉端開口部に設置するができる炉、又は炉本体を提供することを課題とする。【解決手段】炉本体２Ａを形成する四角箱体４の四隅に縦炉支持プレート９ａと水平炉支持プレート９ｂから形成される炉支持部９Ａの小口１０A（１０ａ、１０ｂ）が外側に出た状態で固設され、四角箱体の外側の底部の四隅に固設される断熱板支持部１２Ａの水平辺を形成する水平断熱板支持プレート１２ｂに空気層１１ｂが形成される状態で断熱板５ａが固設され、さらにこの水平断熱板支持プレート１２ｂの下側に脚６が固設され、同時に空気層１１ｃが形成される。【選択図】図１
2018028425.tif 000002
【特許請求の範囲】
【請求項１】
設置式の囲炉裏、火鉢、又はアウトドアテーブルの炉端に設置する炉において、
前記炉は、四角箱体に形成され上部の炉開口部の水平方向の縁に沿って炉出っ張りが形成され、前記四角箱体の外壁の四隅の側面に前記炉出っ張りより一定の低い位置で互いに同じ高さで外側に互いに水平方向に突き出した小口が形成された状態で固設されるＬ字形状の炉支持部を備えた炉本体と、
前記炉支持部は、前記四角箱体の外壁の側面に固設される縦炉支持プレートと、前記縦炉支持プレートとの上端に接続した水平炉支持プレートからなり、前記水平炉支持プレートの底面が前記囲炉裏、前記火鉢、前記アウトドアテーブルの炉端開口部周辺の縁部に形成された炉係合部と当接する事により前記炉本体が前記炉端開口部に設置され、前記小口が前記炉係合部側面と当接して前記炉端の内壁と前記四角箱体の外壁の間に一定の空間が形成されること特徴とする炉。
【請求項２】
前記炉は、前記炉を設置するための炉係合部が形成された四角枠状の炉受け具を更に備え、
前記炉受け具は縦辺を構成する四角枠状の縦炉受けプレートと、
水平辺を構成する四角枠状の水平炉受けプレートと、
前記縦炉受けプレートの四隅に水平に固設される前記炉係合部と、
前記水平炉支持プレートの底面が前記炉係合部に当接する事により前記炉本体が前記炉
端開口部に設置され、前記小口が前記縦炉受けプレートの側面と当接して前記炉端の内壁と前記四角箱体の外壁の間に一定の空間が形成されること特徴とする第一請求項に記載の炉。
【請求項３】
前記炉は、前記炉端に前記炉を設置するための炉係合部が形成された略凹型の平板状の一対の炉受け具と、
前記水平炉支持プレートの底面が前記炉係合部に当接する事により前記炉本体が前記炉端に設置され、前記縦炉支持プレートの側面が前記炉受け具に形成された小口と当接、又は前記小口が前記炉受け具の縦辺を構成する縦炉受け具プレートと当接して前記炉端の内壁と前記四角箱体の外壁の間に一定の空間が形成されること特徴とする第一請求項に記載の炉。
【請求項４】
設置式の囲炉裏、火鉢、又はアウトドアテーブルの炉端に設置する炉において、
前記炉は、四角箱体に形成され上部の炉開口部の水平方向の縁に沿って炉出っ張りが形成され、前記四角箱体の外壁の四隅の側面に前記炉出っ張りより一定の低い位置で互いに同じ高さで外側に互いに水平方向に小口が突き出した状態で形成された下向きにＬ字が連なる形状の炉支持部を備えた炉本体と、
前記炉支持部は、前記四角箱体の外壁の側面に固設される下部縦炉支持プレートと、
前記下部縦炉支持プレートの上端と接続された下部水平炉支持プレートと、
前記下部炉支持プレートの端部と接続された上部縦炉支持プレートと、
前記上部縦炉支持プレートの上端と接続された上部水平炉支持プレートから形成され、
前記上部水平炉支持プレートは底面が前記囲炉裏、前記火鉢、前記アウトドアテーブルの炉端開口部周辺の縁部と当接する事により前記炉本体が前記炉端に設置され、前記上部縦炉支持プレートの側面が前記炉端開口部周辺の側面と当接、又は前記小口が前記炉端開口部の側面と当接して前記炉端と前記四角箱体の外壁の間に一定の空間が形成されること特徴とする炉。
【請求項５】
前記炉本体の内側で使用、又は前記炉本体を載置するための井桁組枠であって、
両端部の上方から下方の垂直方向に井桁組溝が形成される一対の第一側板と、両端部の下方から上方の垂直方向に井桁組溝が形成される一対の第二側板から形成される前記井桁組枠を備えたことを特徴とする請求項１乃至４のうちいずれか一項に記載の炉。
【請求項６】
前記一対の第一側板と前記一対の第二側板から形成され、前記井桁組枠から構成される炉本体を備えたことを特徴とする炉。
【請求項７】
前記第一側板と前記第二側板の上端中央部に略凹型状に形成された炉係合部を備えたことを特徴とする請求項１乃至６のうちいずれか一項に記載の炉。
【請求項８】
前記井桁組枠は側面に複数の穴が形成された前記第一側板と前記第二側板から形成されたことを特徴とする請求項１乃至７のうちいずれか一項に記載の炉。
【請求項９】
連続する空気層を交互に形成する形状に形成されたロストルから構成される炉本体を備えたことを特徴とする炉。
【請求項１０】
前記ロストルが、前記炉本体の底部に備えられることを特徴とする請求項１乃至８のうちいずれか一項に記載の炉。
【請求項１１】
前記炉本体の外側の底部に断熱板を備えたことを特徴とする請求項１０に記載の炉。
【請求項１２】
前記炉の下部に脚が設けられることを特徴とする請求項１乃至１１のうちいずれか一項に記載の炉。
【発明の詳細な説明】
【技術分野】
【０００１】
本発明は、囲炉裏、火鉢、アウトドアテーブル、又は焚火台の炉に関する
【背景技術】
【０００２】
従来の囲炉裏、火鉢の炉の炉本体は、四角箱型に形成され、開口部の縁に沿って水平方向に炉出っ張りが形成され、炉本体の外壁の四隅の側面に炉出っ張りより一定の低い位置に同じ高さで下向きのＬ字状の炉支持部が固設された。
【０００３】
このＬ字状の炉支持部は縦辺を構成し、炉本体の外壁の側面に固設される炉支持プレートと炉支持部の水平辺を構成し囲炉裏、火鉢の炉端の開口部周辺のテーブルの炉係合部にかけられ裏面が当接することで、囲炉裏、火鉢の炉端開口部に設置された。
【０００４】
アウトドアテーブルの炉においては、炉本体を開口部に設置するために、テーブル開口部の縁部の形状に沿って形成された環状でアウトドアテーブルの開口部に取り付け可能な枠部材を備え、その中に炉本体を設置した。
【０００５】
又、焚火台における炉本体は、炉端、又は床面に対する断熱対策をする必要がなく主に壁面の変形対策及び空気の取入れに重きが置かれている。
【先行技術文献】
【特許文献】
【０００６】
【特許文献１】特許第５１０９０３２号
【特許文献２】特許第３５１５０８５号
【特許文献３】実用新案登録第３１９２１８２号
【発明の概要】
【発明が解決しようとする課題】
【０００７】
しかしながら、それぞれに断熱方法が違うために、囲炉裏、火鉢、アウトドアテーブル、又は焚火台で共通に使用できる炉はなかった。
【０００８】
そこで、この発明は、床面に設置する囲炉裏、火鉢、アウトドアテーブル、又は焚火台において、共通で使用することができ、尚且つ囲炉裏、火鉢、アウトドアテーブル、又は焚火台の炉本体で燃焼物が燃焼中であっても囲炉裏、火鉢、アウトドアテーブルのそれぞれの炉端開口部に共通で設置することができる炉を提供することを課題とする。
【課題を解決するための手段】
【０００９】
上記目的を達成するために、第一発明は、設置式の囲炉裏、火鉢、又はアウトドアテーブルの炉端に設置する炉において、前記炉は、四角箱体に形成される炉本体と、この炉本体の上部の炉開口部の縁に沿って水平方向に形成される炉出っ張りと、前記四角箱体の外壁の四隅の側面に前記炉出っ張りより一定の低い位置で互いに同じ高さで外側に互いに水平方向に突き出した小口が形成された状態で固設されるＬ字形状の炉支持部と、を備え、前記炉支持部は、前記炉支持部の縦辺を構成し前記四角箱体の外壁の側面に固設される縦炉支持プレートと、前記炉支持部の水平辺を構成し裏面が前記囲炉裏、前記火鉢、前記アウトドアテーブルの炉端開口部周辺の縁部に形成された炉係合部と当接する水平炉支持プレートとからなり、前記水平炉支持プレートの裏面が前記炉係合部に当接する事により前記炉本体が前記開口部に設置され、前記小口が前記炉係合部側面と当接して前記炉端の内壁と前記四角箱体の外壁の間に一定の空間が形成されること特徴とする炉である。
【００１０】
第二発明は、前記炉は、前記炉を設置するための炉係合部が形成された四角枠状の炉受け
具を更に備え、前記炉受け具は縦辺を構成する四角枠状の縦炉受けプレートと、水平辺を構成する四角枠状の水平炉受けプレートと、前記縦炉受けプレートの四隅に水平に固設される前記炉係合部と、前記水平炉支持プレートの裏面が前記炉係合部に当接する事により前記炉本体が前記炉端開口部に設置され、前記小口が前記炉受け具の側面と当接して前記炉端の内壁と前記四角箱体の外壁の間に一定の空間が形成されること特徴とする炉である。
【００１１】
第三発明は、前記炉は、前記炉端に前記炉を設置するための炉係合部が形成された略凹型の平板状の一対の炉受け具と、前記水平炉支持プレートの裏面が前記炉係合部に当接する事により前記炉本体が前記炉端に設置され、前記小口が前記炉受け具の縦辺を構成する縦炉受け具プレートと当接して前記炉端の内壁と前記四角箱体の外壁の間に一定の空間が形成されること特徴とする炉である。
【００１２】
第四発明は、設置式の囲炉裏、火鉢、又はアウトドアテーブルの炉端に設置する炉において、四角箱体に形成される炉本体と、この炉本体の上部の炉開口部の縁に沿って水平方向に形成される炉出っ張りと、前記四角箱体の外壁の四隅の側面に前記炉出っ張りより一定の低い位置で互いに同じ高さで外側に互いに水平方向に突き出した小口が形成された状態で固設される下向きにＬ字が連なる形状の炉支持部と、を備え、前記炉支持部は、前記炉支持部の下部縦辺を構成し前記四角箱体の外壁の側面に固設される下部縦炉支持プレートと、前記炉支持部の下部水平辺を構成する下部水平炉支持プレートと、前記炉支持部の上部縦辺を構成するもう一方の上部縦炉支持プレートと、前記炉支持部の上部水平辺を構成し、裏面が前記囲炉裏、前記火鉢、前記アウトドアテーブルの開口部周辺の縁部と当接するもう一方の上部水平炉支持プレートと、からなり、前記上部水平炉支持プレートの裏面が前記炉端開口部の縁部に当接する事により前記炉本体が前記炉端に設置され、前記小口が前記炉端開口部の側面と当接して前記炉端と前記四角箱体の外壁の間に一定の空間が形成されること特徴とする炉である。
【００１３】
第五発明は、前記炉本体の内側で使用、又は前記炉本体を載置するための井桁組枠であって、両端部の上方から下方の垂直方向に井桁組溝が形成される一対の第一側板と、両端部の下方から上方の垂直方向に井桁組溝が形成される一対の第二側板から形成される前記井桁組枠を備えたことを特徴とする炉である。
【００１４】
第六発明は、前記一対の第一側板と前記一対の第二側板から形成され、前記井桁組枠から構成される炉本体を備えたことを特徴とする炉である。
第七発明は、前記第一側板と前記第二側板の上端中央部に略凹型状に形成された炉係合部を備えたことを特徴とする炉である。
【００１５】
第八発明は、前記井桁組枠は側面に複数の穴が形成された前記第一側板と前記第二側板から形成されたことを特徴とする炉である。
第九発明は、連続する空気層を交互に形成する形状に形成されたロストルから構成される炉本体を備えたことを特徴とする炉である。
【００１６】
第十発明は、前記ロストルが、前記炉本体の底部に備えられることを特徴とする炉である。
第十一発明は、前記炉本体の外側の底部に断熱板を備えたことを特徴とする炉である。
第十二発明は、前記炉の下部に脚が設けられることを特徴とする炉である。
【発明の効果】
【００１７】
以上の説明から明らかなように、本発明にあたっては次に列挙する効果が得られる。
第一発明によれば、炉本体は、四角箱体の炉本体の上部の炉開口部の水平方向に形成される炉出っ張りより低い位置で互いに同じ高さで外側に互いに水平方向に突き出した小口が形成された状態で固設され、縦辺を構成し四角箱体の外壁の側面に固設される縦炉支持プレートと、水平辺を構成し裏面が囲炉裏、前記火鉢、前記アウトドアテーブルの炉端開口部周辺の縁部を形成する炉係合部と当接する水平炉支持プレートとから形成されるＬ字型の炉支持部が備えられることで、炉本体を形成する四角箱体の外壁と囲炉裏、火鉢、アウトドアテーブルの炉端の縁部の側面との間に一定の空気層が形成されることで、炉端が炉本体内部の熱に影響されにくい。
【００１８】
第二発明によれば、炉は、炉を設置するための炉係合部が形成された四角枠状の炉受け具を更に備え、炉受け具は縦辺を構成する四角枠状の縦炉受けプレートと、水平辺を構成する四角枠状の水平炉受けプレートと、縦炉受けプレートの四隅に水平に固設される前記炉係合部と、水平炉支持プレートの裏面が炉係合部に当接する事により炉本体が前記炉端開口部に設置され、炉支持部の小口が炉受け具の少なくとも一方の側面と当接して炉端の内壁と炉本体を構成する四角箱体の外壁の間に一定の空気層が形成されることで、炉端が炉本体内部の熱に影響されにくい。
【００１９】
第三発明によれば、炉は、炉端に炉を設置するための炉係合部が形成された略凹型の平板状の一対の炉受け具と、炉支持部を構成する水平炉支持プレートの裏面が炉係合部に当接する事により炉本体が炉端に設置され、炉支持部を構成する水平炉支持プレートの小口が炉係合部側面と当接して前記炉端の内壁と前記四角箱体の外壁の間に一定の空気層が形成されることで、炉端が炉本体内部の熱に影響されにくい。
【００２０】
第四発明によれば、設置式の囲炉裏、火鉢、又はアウトドアテーブルの炉端に設置する炉において、四角箱体に形成される炉本体と、この炉本体の上部の炉開口部の縁に沿って水平方向に形成される炉出っ張りと、四角箱体の外壁の四隅の側面に炉出っ張りより一定の低い位置で互いに同じ高さで外側に互いに水平方向に突き出した小口が形成された状態で固設される下向きにＬ字が連なる形状の炉支持部と、を備え、炉支持部は、炉支持部の下部縦辺を構成し四角箱体の外壁の側面に固設される縦炉支持プレートと、炉支持部の下部水平辺を構成する下部水平炉支持プレートと、炉支持部の上部縦辺を構成するもう一方の上部縦炉支持プレートと、炉支持部の上部水平辺を構成し、裏面が囲炉裏、火鉢、アウトドアテーブルの開口部周辺の縁部と当接するもう一方の上部水平炉支持プレートと、からなり、上部水平支持プレートの裏面が炉端開口部の縁部に当接する事により炉本体が炉端に設置され、上部縦支持プレートの裏面、又は小口が炉端開口部の炉端側面と当接して炉端と四角箱体の外壁の間に一定の空気層が形成されることで、炉端が炉本体内部の熱に影響されにくい。
【００２１】
第五発明によれば、炉本体の内側で使用、又は炉本体を載置するための井桁組枠であるが、一対の第一側板は両端部の上方から下方の垂直方向に井桁組溝が形成され、一対の第二側板は両端部の下方から上方の垂直方向に井桁組溝が形成されるので、井桁枠を容易に組立、取り外しができ、同時に携帯性が高い。
【００２２】
第六発明によれば、一対の第一側板と前記一対の第二側板から形成され、井桁組枠から構成される炉本体を備えたので携帯性が高く使用範囲が広い。
第七発明によれば、第一側板と第二側板の上端中央部に略凹型状に形成された炉係合部を備えたので、炉本体を載置することで井桁枠の強度が増す。
【００２３】
第八発明によれば、側面に複数の穴が形成された前記第一側板と前記第二側板から形成された井桁組枠から構成される炉は、炉本体の中で燃焼した場合でも変形しにくく、同時に側面の複数の穴から空気が流入しやすい。
【００２４】
第九発明によれば、連続する空気層を交互に形成する形状に形成されたロストルから構成される炉本体を備えた炉であるので、携帯性が高く、熱による変形が少ない。
【００２５】
第十発明によれば、連続する空気層を交互に形成する形状に形成されたロストルを炉本体の底部に備えたので、炉本体の底部が熱による変形が少ない、同時に炉本体の底部の耐久性が増す。
【００２６】
第十一発明によれば、炉本体の外側の底部に断熱板を備えたので、焚火台においては、地面に与えるダメージが少なく、テーブルの上での使用も可能となる。又、火鉢においては底面の炉端、囲炉裏においては、床面に与えるダメージが少なくなる。
【００２７】
第十二発明によれば、炉の下部に脚が設けられたので、焚火台においては、地面に与えるダメージが少なく、テーブルの上での使用も可能となる。又、火鉢においては底面の炉端、囲炉裏においては、床面に与えるダメージが少なくなる。
【図面の簡単な説明】
【００２８】
【図１】図1は、第一実施形態を示す斜視図である。
【図２】図２は、第一実施形態を示す断面図である。
【図３】図３は、第二実施形態を示す断面図である。
【図４】図４は、第二実施形態を示す平面図である。
【図５】図５は、第三実施形態を示す断面図である。
【図６】図６は、第三実施形態を示す斜視図である。
【図７】図７は、第四実施形態を示す斜視図である。
【図８】図８は、第四実施形態を示す斜視図である。
【図９】図９は、第四実施形態を示す斜視図である。
【図１０】図１０は、第四実施形態を示す斜視図である。
【図１１】図１１は、第五実施形態を示す断面図である。
【図１２】図１２は、第五実施形態を示す斜視図である。
【図１３】図１３は、第六実施形態を示す断面図である。
【図１４】図１４は、第六実施形態を示す斜視図である。
【図１５】図１５は、第七実施形態を示す斜視図である。
【図１６】図１６は、第八実施形態を示す断面図である。
【図１７】図１７は、第九実施形態を示す斜視図である。
【図１８】図１８は、第九実施形態を示す斜視図である。
【図１９】図１９は、第九実施形態を示す斜視図である。
【図２０】図２０は、第九実施形態を示す斜視図である。
【図２１】図２１は、第九実施形態を示す側面図である。
【図２２】図２２は、第九実施形態を示す斜視図である。
【発明を実施するための形態】
【実施例１】
【００２９】
この発明の第一実施形態を図１、図2に示す。
図1はこの発明の第一実施形態を示す焚火台ＴＡの斜視図、図2は焚火台ＴＡが床面１、又は地面１に設置された状態を示す断面図である。
図1に示すように、焚火台ＴＡは炉ＲAから構成され、炉ＲAは炉本体２Ａとロストル３Ａと断熱板５aと脚６ａから形成される。炉本体２Ａは四角箱体４と炉出っ張り８ａと炉支持部９Ａと断熱板支持部１２Ａから構成され、四角箱体４は、金属、又はセラミックの板材で四角箱型に形成される。
【００３０】
四角箱体４は、上部の炉開口部７aの縁に沿って水平方向に炉出っ張り８ａが形成され、四角箱体４の外壁の四隅に炉支持部９Ａが設けられる。この炉支持部９Ａは、金属のプレートが下向きのＬ字形状に形成され、四角箱体４の炉開口部７aの縁に形成された炉出っ張り８ａより低い位置の四角箱体４の外壁の側面に互いに同じ高さの位置に固設される。
【００３１】
炉支持部９Ａは縦辺を構成する縦炉支持プレート９aと炉支持部９Ａの水平辺を構成する水平炉支持プレート９ｂから形成され、四角箱体４の外壁より外側に互いに同じ大きさで水平方向に突き出した小口１０Ａ（１０a、１０ｂ）が形成された状態で縦炉支持プレート９aの縦面が四角箱体４の外壁に溶接などで固設され、四角箱体４の側面に炉支持部９Ａが一定の高さで同じ位置に設けられる。
【００３２】
図２に示すように、四角箱体４の内側の底面にロストル３Ａが設けられ、このロストル３Ａは連続する空気層１１ａが交互に形成された形状に形成されるものである。このロストル３Ａは、金属の板材が連続する三角形状に形成されたもの、連続する波型の形状に形成されたもの、又は、セラミック素材が連続する三角形状、連続する波型に形成されたものである。
【００３３】
四角箱体４の外側の底面に一定の厚みの空気層１１ｂが形成された状態で断熱板５aが備えられる。この断熱板５aは方形の形状で四角箱体４の底面とほぼ同じ大きさで形成され、四角箱体４の側面の下端部の四隅に設けられたＬ字状の断熱板支持部１２Ａに固設される。
【００３４】
断熱板支持部１２Ａは金属の薄板がＬ字形状に形成され、縦辺を構成する縦断熱板支持プレート１２aと断熱板支持部１２Ａの水平辺を構成する水平断熱板支持プレート１２ｂから形成される。
【００３５】
断熱板支持部１２Ａの水平辺を構成する水平断熱板支持プレート１２ｂの中央部に穴１３ａが形成され、四角箱体４の外壁の四隅の下端より下側にそれぞれの縦断熱板支持プレート１２aが互いに同じ長さで突き出した状態で縦断熱板支持プレート１２aの縦面が四角箱体２の外壁に溶接などで固設される。
【００３６】
断熱板支持部１２Ａの水平辺を構成する水平断熱板支持プレート１２ｂの表面に断熱板５aが載せられることで四角箱体４の外側の底面と断熱板５aの間に一定の厚みの空気層１１ｂが形成される。さらに、断熱板支持部１２Ａの下部の水平辺を構成する水平断熱板支持プレート１２ｂの下側に脚６ａが設けられる。この脚６ａはゴム、プラスチック、材木などで形成される。
【００３７】
断熱板５aが水平断熱板支持プレート１２ｂに載せられ、断熱板５aの四隅に形成された穴１３ｂが水平断熱板支持プレート１２ｂの中央部に形成された穴１３ａと合わされた状態で脚６ａの中央部を通されたネジ１４が断熱板５aの上方にツキ通され、ナット１５で固定されることで、脚６ａが断熱板支持部１２Ａに固設されると同時に断熱板５aが四角箱体４の底面に一定の厚みの空気層１１ｂが形成される状態で固定される。
【００３８】
さらに、脚６ａが断熱板支持部１２Aに固定されることで、断熱板５aと床面１、又は地面１の間に一定の厚みの空気層１１ｃが形成される。
【実施例２】
【００３９】
この発明の第二実施形態を図３、図４に示す。
図3はこの発明の第二実施形態を示す火鉢Ｈの断面図、図４は火鉢Ｈの炉端１６Ａの平面図である。
図3に示すように、火鉢Ｈは、炉端１６Ａと第一実施形態で示した炉ＲＡから構成され、炉端１６Ａは四角箱状に形成され、図４に示すように、側面を形成し相対する二対の炉端側板１６a、１６ｂと底面を構成する炉端底板１６ｃから形成され、炉端開口部１７ａが形成される。
【００４０】
図４に示すように、炉端開口部１７ａの縁部を形成し相対する一対の炉端側板１６ａの上端小口の両端部に炉本体２Ａの壁面に固設される炉支持部９Ａの水平辺を構成する水平炉支持プレート９ｂに対応する方形でＬ字形状に彫られた炉係合部１８ａが形成される。
【００４１】
図3に示すように、炉端開口部１７ａの縁部に形成された炉係合部１８ａに炉本体２Ａを構成する四角箱体４の壁面の四隅に固設された炉支持部９Ａの水平辺を形成する水平炉支持プレート９ｂの裏面が当接し、炉本体２Ａが火鉢Ｈを構成する炉端１６Ａの炉端開口部１７ａに設置され、同時に炉ＲＡが炉端１６Ａに設置される。
【００４２】
炉支持部９Ａの小口１０Ａ（１０ａ、１０ｂ）が炉係合部１８ａの側面と当接することで、
四角箱体４の四方の壁面と炉端１６Ａを形成する二対の炉端側板１６ａ、１６ｂの内側の四方の壁面との間に一定の厚みの空気層１１ｄが形成され、炉端１６Ａの底面を形成する炉端底板１６ｃと炉ＲＡを構成する断熱板５ａの間に一定の幅の空気層１１ｅが形成される。
【実施例３】
【００４３】
この発明の第三実施形態を図５、図６に示す。
図５はこの発明の第三実施形態を示す設置式の囲炉裏IＲの断面図、図６は囲炉裏IＲの炉端開口部１７ｂに設置される炉受け具１９Ａを示す斜視図である。
【００４４】
図５に示すように、囲炉裏IＲは炉ＲＢと炉端１６Ｂから構成され、炉ＲＢは四角枠状の炉受け具１９Aと第一実施形態で示した構成要素と同様の炉本体２Ａとロストル３と断熱板５aと脚６ａから形成される。炉端１６Ｂは四角枠状に形成される四枚の炉端側板１６ｄと中央部に炉端開口部１７ｂが方形状に形成された方形の炉端天板１６eから構成され、四角枠状に形成された炉端側板１６ｄの開口部に炉端天板１６eが載せられ固設されることで炉端１６Ｂが形成される。
【００４５】
図６に示すように、炉受け具１９Ａは四角枠状の下向きのＬ字型で枠状の縦辺を構成する縦炉受け具プレート１９aと炉受け具１９Ａの水平辺を構成する水平炉受け具プレート１９ｂから形成され、縦炉受け具プレート１９aの四隅の下端部の水平方向に、炉本体２Ａを形成する四角箱体４の四隅に固設された炉支持部９Ａの水平辺を構成する水平炉支持プレート９ｂに対応する炉係合部１８ｂが方形状に形成される。
【００４６】
図５に示すように、囲炉裏IＲを構成する炉端１６Ｂの中央部に形成された炉端開口部１７ｂに四角枠状の炉受け具１９Ａが設置され、炉受け具１９Ａの水平辺を構成する水平炉受け具プレート１９ｂの裏面が炉端開口部１７ｂの縁部の炉端天板１６eに当接し、炉受け具１９Ａの四隅の下端の水平方向に形成された炉係合部１８ｂに炉本体２Aを構成する四角箱体４の壁面の四隅に固設された炉支持部９Ａの水平辺を構成する水平炉支持プレート９ｂの裏面が当接することで炉端開口部１７ｂに炉本体２Ａが設置され、同時に炉端１６Ｂに炉ＲＢが設置されることで囲炉裏IＲが形成される。
【００４７】
炉支持部９Ａの小口１０Ａ（１０ａ、１０ｂ）が炉受け具１９Ａの縦辺を構成する縦炉受け具プレート１９aの側面と当接し、炉本体２Ａを形成する四角箱体４の四方の壁面と囲炉裏IＲを構成する炉端１６Ｂの炉端天板１６ｅに形成された炉端開口部１７ｂの内側の四方の側面との間に一定の厚みの空気層１１ｆが形成され、囲炉裏IＲが設置される床面１と炉ＲＢを構成する断熱板５ａとの間に一定の幅の空気層１１gが形成される。
【００４８】
この場合、炉受け具１９Aを構成する炉係合部１８ｂに形成された小口１０Ｂが、炉本体２Aの四隅に固設された炉支持部９Aの縦辺を構成する縦炉支持プレート９ｂの側面に当接し、炉支持部９Ａの小口１０Ａ（１０ｂ）が炉受け具１９Ａの縦辺を構成する縦炉受け具プレート１９aの側面と当接し、炉本体２Ａを形成する四角箱体４の四方の壁面と囲炉裏IＲを構成する炉端１６Ｂの炉端天板１６ｅに形成された炉端開口部１７ｂの内側の四方の側面との間に一定の厚みの空気層１１ｆが形成される場合もある。
【実施例４】
【００４９】
この発明の第四実施形態を図７、図８、図９に示す。
図７はこの発明の第四実施形態を示す焚火台ＴＢの斜視図、図８は井桁組枠２０Ａに断熱板５ｂが設けられたことを示す斜視図、図９は井桁組枠２０Ａを構成する第一側板２０Ａａ、第二側板２０Ａｂの斜視図を示す斜視図である。
【００５０】
図７に示すように、焚火台ＴＢは炉ＲＣから構成され、炉ＲＣは炉本体２Ｂとロストル３Ａ、井桁組枠２０Ａから構成される。炉本体２Ｂは四角箱体４と炉出っ張り８ｂと炉支持部9Ａから構成され、四角箱体４は、金属、又はセラミックの板材で四角箱型に形成される。
【００５１】
四角箱体４は、上部の炉開口部７ｂの縁に沿って水平方向に炉出っ張り８ｂが形成され、相対する一対の炉出っ張り８ｂの中央部に一対の穴１３ｃが形成される。
【００５２】
炉本体２Ｂを構成する四角箱体４の外壁の四隅に第一実施形態で示した構成要素と同様の炉支持部９Ａが設けられ、炉本体２Ｂの内側の底面に第一実施形態で示した構成要素と同様のロストル３が設けられる。
【００５３】
炉ＲＣの下部を構成する井桁組枠２０Ａは、図８に示すように、金属、又はセラミックの板材で形成される一対の第一側板２０Ａａと一対の第二側板２０Ａｂが互いに平行で井桁状に組まれることで形成され、井桁組枠２０Ａの上部に方形の四隅が切り取られ下方に曲げられた状態の八角形の断熱板５ｂが設けられる。
【００５４】
図９に示すように、井桁組枠２０Ａを形成する第一側板２０Ａａと第二側板２０Ａｂの両端部に第一側板２０Ａa、第二側板２０Ａｂの厚みよりわずかに隙間ができるほどに井桁組溝２２が互い違いの方向から垂直方向に形成される。第一側板２０Ａaは両端部の上端から垂直の下方に向かって井桁組溝２２が形成され、第二側板２０Ａｂは両端部の下端から垂直の上方に向かって井桁組溝２２が形成される。
【００５５】
図８、図９に示すように、井桁組枠２０Ａを形成する一対の第一側板２０Ａaと一対の第二側板２０Ａｂの上端部の中央部に炉係合部１８ｃが略凹型状に形成され、さらに、これらの炉係合部１８ｃの中央部に略凹型状に断熱板支持部１２Ｂが形成される。井桁組枠２０Ａの四方の上端に形成された断熱板支持部１２Ｂに断熱板５ｂが載置されることにより井桁組枠２０Ａは強度を増す。さらに、井桁組枠２０Ａの四方の上端に形成された炉係合部に炉本体２Ｂが載置されることで井桁組枠２０Ａの強度がさらに強くなる。
【００５６】
一対の第一側板２０Ａaと一対の第二側板２０Ａｂが組み合わされ、それぞれの第一側板２０Ａa、第二側板２０Ａｂに形成された断熱板支持部１２Ｂが上部になるように井桁組枠２０Ａが組まれ、八角形で四隅が下向きのL字状に形成された断熱板５ｂが一対の第一側板２０Ａaと一対の第二側板２０Ａｂの上端中央部に形成された断熱板支持部１２Ｂに載せられる。図７に示すように、炉本体２Ｂが井桁組枠２０Ａの炉係合部１８ｃに載せられることで、炉本体２Ｂを構成する四角箱体４の外側の底面と断熱板５ｂの間に一定の厚みの空気層１１ｈが形成される。
【実施例５】
【００５７】
この発明の第五実施形態を図１０、図１１、図１２に示す。
図１０はこの発明の第五実施形態を示すアウトドアテーブルＯAの断面図、図１１は炉受け具１９Ｂの斜視図、図１２は取っ手棒２２の斜視図である。
【００５８】
図１０に示すように、アウトドアテーブルＯAはテーブルＴＴと炉ＲＤから構成され、テーブルＴＴは中央部に方形の炉端開口部１７ｃが形成された方形のテーブル天板２３に脚６ｂが接合され形成される。
【００５９】
炉ＲＤは炉受け具１９Ｂと第四実施形態で示した構成要素と同様の炉本体２Ｂとロストル３と井桁組枠２０Ａで構成される。ロストル３は炉本体２Ｂを構成する四角箱体４の内側の底面に設置され、このロストル３の上に井桁組枠２０Ａが設置され、炉本体２Ｂの内壁として使用される。
【００６０】
炉受け具１９Ｂは図１１に示すように、金属板、又はセラミックで両端部が下向きのＬ字形状の略凹型に形成され、縦辺を構成する一対の縦炉受け具プレート１９ｃと炉受け具１９Ｂの両端の水平辺を構成する一対の水平炉受け具プレート１９ｄが形成され、縦辺を構成する一対の縦炉受け具プレート１９ｃの間の水平方向に炉係合部１８ｄが形成され、同時に炉係合部１８ｄの側面に小口１０Ｃが形成される。
【００６１】
テーブルＴＴのテーブル天板２３の中央部に形成された炉端開口部１７ｃの両端部に一対の炉受け具１９Ｂが挿入され、炉受け具１９Ｂを構成する炉係合部１８ｄが炉端開口部１７ｃの両端に設けられる。
【００６２】
炉本体２Ｂの内側の底面にロストル３が設置され、炉本体２ＢがテーブルＴＴを構成するテーブル天板２３の中央部に形成された炉端開口部１７ｃに挿入され、炉端開口部１７ｃの両端部に設置された一対の炉受け具１９Ｂの炉係合部１８ｄに炉本体２Ｂを形成する四角箱体４の壁面の四隅に固設された炉支持部９Ａの水平辺を構成する水平炉支持プレート９ｂの裏面が当接し、テーブルＴＴを構成するテーブル天板２３の中央に炉本体２Ｂが設置される。次に、炉本体２Ｂの内側に井桁状に組まれた井桁組枠２０Ａが設置されることでアウトドアテーブルOAが形成される。
【００６３】
さらに、炉本体２Ｂを形成する四角箱体４の壁面の四隅に固設された炉支持部９Ａの小口１０A（１０ｂ）が炉受け具１９Ｂの縦辺を構成する縦炉受け具プレート１９ｃの壁面に当接し、又は炉支持部９Ａの縦辺を構成する縦炉支持プレート９ａの壁面に炉受け具１９Ｂを構成する炉係合部１８ｄの側面に形成された小口１０Ｃが当接する。
【００６４】
同時に炉本体２Bを形成する四角箱体４の四方の壁面とアウトドアテーブルOAのテーブル天板２３の炉端開口部１７ｃの内側の四方の側面との間に一定の厚みの空気層１１ｋが形成される。この場合、炉本体２Ｂの四角箱体４の四隅に固設される炉支持部９Ａの小口１０A（１０ａ）がテーブルＴＴを構成する天板２３の中央部に形成された炉端開口部１７ｃ周辺の縁部の側面に当接し、炉本体２Ｂを形成する四角箱体４の壁面の四隅に固設された炉支持部９Ａの小口１０A（１０ｂ）が炉受け具１９Ｂの縦辺を構成する縦炉受け具プレート１９ｃの壁面に当接する場合も想定される。
【００６５】
炉本体２Bを形成する四角箱体４の四方の壁面とアウトドアテーブルOAのテーブル天板２３の炉端開口部１７ｃの内側の四方の側面との間に一定の厚みの空気層１１ｋが形成される。炉本体２Ｂの内側に第四実施形態で示した井桁組枠２０Ａが設置されることで、井桁組枠２０Ａを形成する一対の第一側板２０Ａａ、一対の第二側板２０Ａｂと四角箱体４の内側の側面との間に一定の幅で空気層１１ｍが形成される。
【００６６】
第四実施形態で示した炉ＲＣの炉本体２Ｂの中で燃焼物Ｎが燃焼中にテーブル天板２３の中央に形成された炉端開口部１７ｃに炉本体２Ｂを設置する。図１２に示す一対の取っ手棒２２を炉本体２Ｂの炉開口部７ｂの縁に沿って形成される炉出っ張り８ｂの中央部に形成された二対の穴１３ｃに挿入する。次に、一対の取っ手棒２２を掴んで、炉本体２Ｂをテーブル天板２３の中央に形成された炉端開口部１７ｃに載置し、さらに、炉本体２Bに井桁組枠２０Ａを設置する。
【実施例６】
【００６７】
この発明の第六実施形態を図１３、図１４に示す。
図１３はこの発明の第六実施形態を示すアウトドアテーブルＯＢの断面図、図１４はアウトドアテーブルＯＢの中央部を構成する炉ＲＥの斜視図である。
【００６８】
図１３に示すように、アウトドアテーブルＯＢはテーブルＴＴと炉ＲＥから構成され、テーブルＴＴは第五実施形態と同様に中央部に方形の炉端開口部１７ｃが形成された方形のテーブル天板２３に脚６ｂが接合され形成される。
【００６９】
図１４に示すように、炉ＲＥは炉本体２Ｃと第一実施形態で示した構成要素と同様のロストル３と第四実施形態で示した井桁組枠２０Ａから構成され、炉本体２Ｃは、四角箱体４と炉出っ張り８ｂと炉支持部9Ｂから形成される。
【００７０】
炉本体２Ｃを形成する四角箱体４の外壁の四隅に炉支持部９Ｂが設けられる。この炉支持部９Ｂは、金属、又はセラミックのプレートが連続した下向きのＬ字形状に形成され、四角箱体４の炉開口部７ｂの縁に形成された炉出っ張り８ｂより低い位置の四角箱体４の外壁の側面に互いに同じ高さの位置に固設される。
【００７１】
炉支持部９Ｂは下部縦辺を構成し四角箱体４の外壁の側面に固設される下部縦炉支持プレート９ａと、炉支持部９Ｂの下部水平辺を構成する下部水平炉支持プレート９ｂと、炉支持部９Ｂの上部縦辺を構成し外側の壁面が炉端開口部１７ｃの側面と当接する上部縦炉支持プレート９ｃと、炉支持部９Ｂの上部水平辺を構成し、裏面が炉端開口部１７ｃの縁部に当接する上部炉支持プレート９ｄから形成される。
【００７２】
炉ＲＥを構成する炉本体２Ｃの内側の底面にロストル３が設置され、さらに、このロストル３の上部に井桁組枠２０Ａが設置される。
【００７３】
図１３に示すように、テーブルＴＴを構成するテーブル天板２３の中央部に形成された
炉端開口部１７ｃに炉ＲＥが挿入され、炉本体２Ｃを形成する四角箱体４の四方の外壁に固設された炉支持部９Ｂの上部の水平辺を構成する上部水平炉支持プレート９ｄの裏面が、炉端開口部１７ｃの縁部に当接し、炉本体２Ｃが炉端開口部１７ｃに設置され、同時に炉ＲＥがテーブルＴＴに設置されることでアウトドアテーブルＯＢが形成される。
【００７４】
同時に、炉支持部９Ｂを構成する上部縦炉支持プレート９ｃの外側の壁面が、炉端開口部１７ｃの縁部の側面に当接し、さらに、炉支持部９Ｂの小口１０Ｄが炉端開口部１７ｃの縁部の側面に当接することで、炉本体２Ｃを形成する四角箱体４の四方の壁面とアウトドアテーブルOＢのテーブル天板２３の炉端開口部１７ｃの内側の四方の側面との間に一定の厚みの空気層１１ｐが形成される。
【００７５】
又、炉本体２Ｃの内側に設置された井桁組枠２０Ａを形成する一対の第一側板２０Ａａ、一対の第二側板２０Ａｂと四角箱体４の内側壁面との間に一定の幅で空気層１１ｍが形成される。
【実施例７】
【００７６】
この発明の第七実施形態を図１５に示す。
図１５はこの発明の第七実施形態を示す焚火台ＴＣの斜視図である。
図１５に示すように、焚火台ＴＣは炉ＲＦから構成され、炉ＲＦは炉本体２Ｄとロストル3から形成される。炉本体２Ｄは第四実施形態で示した井桁組枠２０Ａと同様の構成要素で形成され、ロストル３は第一実施形態で示したロストル３と同様の構成要素で形成される。
【００７７】
ロストル3は、地面１に載置され、このロストル３の上に炉本体２Ｄが載置される。炉本体２Ｄは第四実施形態で示した井桁組枠２０Ａと同様の構成要素で形成され、一対で平行の第一側板２０Ａａと、一対で平行の第二側板２０Ａｂが井桁状に組まれることで炉本体２Ｄが形成される。
【００７８】
図には示さないが、ロストル３のみを地面1に載置して使用することも可能であり、第四実施形態で示した井桁組枠２０Ａと同様の構成要素で形成される炉本体２Ｄは、地面に載置されることで単独の使用が可能である。又、第四実施形態で示した井桁組枠２０Ａを地面に載置し、この井桁組枠２０Ａの上に焚火台ＴＣを載置して使用することも可能である。
【実施例８】
【００７９】
この発明の第八実施形態を図１６に示す。
図１６はこの発明の第八実施形態を示す焚火台ＴＤの断面図である。
図１６に示すように、焚火台ＴＤは炉ＲＧから構成され、炉ＲＧは炉本体２Ｅと脚６ｂと断熱板５ａから形成される。炉本体２Ｅは、ロストル３から構成され、ロストル３は第一実施形態で示したロストル３と同様の構成要素で形成される。
【００８０】
方形の断熱板５ａの四隅に形成された穴１３ａに脚６ｂが挿入され、上下のナット１５によって固定される。この状態で、地面に断熱板5ａが載置され、さらに断熱板５ａの四隅に固設された脚６ｂにロストル３が載せられることで炉ＲＧから構成される焚火台ＴＤが形成される。
【００８１】
この場合、断熱板5ａと地面の間に空気層１１ｃが形成され、ロストル３と断熱板５ａの間に空気層１１ｂが形成される。この脚６ｂとは、丸棒にネジが切られたものであり、上下のナット１５を移動することにより、断熱板の高さを移動させることができる。
【実施例９】
【００８２】
この発明の第九実施形態を図１７、図１８、図１９、図２０、図２１、図２２に示す。
図１７はこの発明の第九実施形態を示す焚火台ＴＣの斜視図、図１８は第一側板２０Bａを示す斜視図、図１９は第二側板２０Bｂを示す斜視図、図２０は井桁組枠２０Bを示す斜視図、図２１はロストル３Bを示す側面図、図２２は分割ロストル３ｂを示す斜視図である。
【００８３】
図１７に示すように、焚火台ＴＣは炉ＲHから構成され、炉ＲHは炉本体２Fから形成され
る。炉本体２Fは、井桁組枠２０Bとロストル３Bから構成され、井桁組枠２０Ｂを構成する一対の第一側板２０Ｂａと一対の第二側板２０Ｂｂが組まれることで井桁組枠２０Ｂが形成され、この井桁組枠２０Ｂの底部にロストル３Ｂが設置されることで、炉本体２Ｆが形成される。
【００８４】
図１８に示すように、第一側板２０Ｂaは金属、又はセラミックの板材で長方形に形成され、上端中央部に炉出っ張り８ｃが水平方向に沿って形成され、この炉出っ張り８ｃの中央部に一対の穴１３ｅが形成され、下端部の中央部に第一側板２０Baの上端中央部に形成された炉出っ張り８ｃと反対の水平方向に炉出っ張り８ｄが形成される。
【００８５】
さらに、第一側板２０Baの両端部に炉支持部９Ｃが炉出っ張り８ｃと同じ方向の水平方向に形成され、同時に小口１０Ｄ（１０ｅ，１０ｄ）が炉支持部９Ｃに形成され、第一側板２０Baの両端部に第二側板２０Ｂｂの厚みよりわずかに隙間ができるほどに井桁組溝２２ｂが上方から垂直方向に形成される。
【００８６】
図１９に示すように、第二側板２０Bｂは金属、又はセラミックの板材で長方形に形成され、上端部に炉出っ張り８ｅが水平方向に沿って形成され、下端部に炉出っ張り８ｆが炉出っ張り８ｅと反対の水平方向に形成され、両端部に炉出っ張り８ｇが炉出っ張り８ｆと同じ方向の垂直方向に形成され、第二側板２０Bｂの両端部に第一側板２０Ｂａの厚みよりわずかに隙間ができるほどに井桁組溝２２ｃが下方から垂直方向に形成される。
【００８７】
図２０に示すように、井桁組枠２０Ｂは一対の第一側板２０Baと一対の第二側板２０Bｂから形成される。一対の第一側板２０Baに形成された炉出っ張り８ｃと一対の第二側板２０Bｂに形成された炉出っ張り８ｅが外側に向けられた状態で、一対の第一側板２０Ｂａの両端部に形成された井桁組溝２２ｂと一対の第二側板２０Bｂの両端部に形成された井桁組溝２２ｃが合わされ互いに挿入されることで井桁組枠２０Ｂが形成される。
【００８８】
図２１に示すように、ロストル３Ｂは複数の分割ロストル３ｂから構成され、図２２に示す分割ロストル3ｂが複数重ねられることで形成される。ロストル３Ｂの他の構成要素は、第一実施形態で示したロストル３Ａと同様である。
【００８９】
以上、九つの実施形態を示したが、他にも実施形態は想定される。例えば、他の実施形態において、第一実施形態で示した炉ＲＡは、第五実施形態における炉本体２Ｂと取り換えられてアウトドアテーブルが形成されても良い。
【００９０】
又、第三実施形態における炉受け具１９Ａが第五実施形態における炉受け具１９Ｂと取り換えられてアウトドアテーブルが形成されても良い。さらに、第一実施形態で示した炉ＲＡが炉受け具１９Ａに設置されてアウトドアテーブルとして形成されても良い。
【００９１】
第四実施形態における炉本体２Ｂは第二実施形態における炉本体２Ａと取り換えられて火鉢が形成されても良い、又第三実施形態における炉本体２Ａと取り換えられて囲炉裏が形成されても良い。
【００９２】
第五実施形態における炉ＲＤは第二実施形態における炉ＲＡと取り換えられて火鉢が形成されても良い、又第三実施形態における炉ＲＢと取り換えられて囲炉裏が形成されても良い。
【００９３】
第六実施形態における炉ＲＥは第二実施形態における炉ＲＡと取り換えられて火鉢が形成されても良い、又第三実施形態における炉ＲＢと取り換えられて囲炉裏が形成されても良い。
【００９４】
第九実施形態における炉本体２Ｆは、第四実施形態における炉ＲＣを構成する炉本体２Ｂと取り換えられて焚火台が形成されても良い。又、第九実施形態における炉本体２Ｆは、第五実施形態における炉ＲＤを構成する炉本体２Ｂと取り換えられ、炉本体２Fの内壁として井桁組枠２０Ａが炉本体２Fを構成するロストル３Ｂの上に載置されても良い。
【符号の説明】
【００９５】
１地面、床面  ２Ａ、２Ｂ、２Ｃ、２Ｄ、２Ｅ、２Ｆ炉本体  ３A、３Ｂロストル  
３b分割ロストル  ４四角箱体  ５ａ、５ｂ断熱板  ６ａ、６ｂ脚  ７ａ、７ｂ炉開口部  
８ａ、８ｂ，８ｃ、８ｄ炉出っ張り  ９Ａ、９Ｂ、９Ｃ炉支持部  
９ａ、９ｂ、９ｃ、９ｄ、９ｅ、９ｆ炉支持プレート  
１０A（１０ａ、１０ｂ）、１０B、１０Ｃ、１０Ｄ小口  
１１ａ、１１ｂ、１１ｃ、１１ｄ、１１ｅ、１１ｆ、１１ｇ、１１ｈ、１１ｋ、１１ｍ
１１ｐ空気層  １２Ａ、１２Ｂ断熱板支持部  １２ａ、１２ｂ断熱板支持プレート
１３ａ、１３ｂ、１３ｃ、１３ｄ、１３ｅ穴  １４ネジ  １５ナット  
１６Ａ、１６Ｂ炉端  １６ａ、１６ｂ、１６ｄ炉端側板  １６ｃ炉端底板  
１６ｅ炉端天板  １７ａ、１７ｂ、１７ｃ炉端開口部  
１８ａ、１８ｂ、１８ｃ、１８ｄ炉係合部  １９Ａ、１９Ｂ炉受け具  
２０Ａ、２０Ｂ井桁組枠  ２０Ａａ、２０Ｂａ第一側板  
２０Ａｂ、２０Ｂｂ第二側板  ２１取っ手棒  ２２井桁組溝  ２３テーブル天板  
ＲＡ、ＲＢ、ＲＣ、ＲＤ、ＲＥ、ＲＦ、ＲＧ、ＲＨ炉  ＴＴテーブル  
ＴＡ、ＴＢ、ＴＣ焚火台  Ｈ火鉢  ＩＲ囲炉裏  ＯＡアウトドアテーブル  Ｎ燃焼物    
【図１】
2018028425.tif 000003
【図２】
2018028425.tif 000004
【図３】
2018028425.tif 000005
【図４】
2018028425.tif 000006
【図５】
2018028425.tif 000007
【図６】
2018028425.tif 000008
【図７】
2018028425.tif 000009
【図８】
2018028425.tif 000010
【図９】
2018028425.tif 000011
【図１０】
2018028425.tif 000012
【図１１】
2018028425.tif 000013
【図１２】
2018028425.tif 000014
【図１３】
2018028425.tif 000015
【図１４】
2018028425.tif 000016
【図１５】
2018028425.tif 000017
【図１６】
2018028425.tif 000018
【図１７】
2018028425.tif 000019
【図１８】
2018028425.tif 000020
【図１９】
2018028425.tif 000021
【図２０】
2018028425.tif 000022
【図２１】
2018028425.tif 000023
【図２２】
2018028425.tif 000024